(57)【要約】      （修正有）【課題】安定性を向上し、不必要な騒音を生じることのないファン及びファンフレームを提供する。【解決手段】ファン１は、ファンフレーム１０と、ファンフレーム１０に回転可能に設けられたファンホイール１２とを含む。ファンフレーム１０は、フレーム本体１００と、少なくとも２つの防振部材１０２ｃ，１０２ｄとを含む。フレーム本体１００は、少なくとも２つの位置決めリブ１０００ａ〜ｄを有し、該少なくとも２つの位置決めリブはフレーム本体１００の側壁から突出し、且つ対称分布になる。該フレーム本体の位置決めリブは、防振部材１０２ｃ，１０２ｄをフレーム本体１００の側壁に位置決めするように、防振部材１０２ｃ，１０２ｄの位置決め溝１０２０ａ〜ｄに嵌め込むことができる。【選択図】図２
0003186599.tif 000002
【実用新案登録請求の範囲】
【請求項１】
ファンフレームと、
前記ファンフレームに回転可能に設けられたファンホイールと、を含むファンであって、
前記ファンフレームは、
少なくとも２つの位置決めリブを有するフレーム本体であって、前記少なくとも２つの位置決めリブは前記フレーム本体の側壁から突出し、且つ対称分布になる、フレーム本体と、
位置決め溝をそれぞれ有する少なくとも２つの防振部材であって、前記位置決めリブは、前記防振部材を前記フレーム本体の側壁に位置決めするように、前記位置決め溝に嵌め込むことができる、少なくとも２つの防振部材と、を含む、ファン。
【請求項２】
前記ファンフレームは、少なくとも４つの固定部材をさらに含み、各防振部材に２つの第１の固定孔が形成され、各位置決めリブの両側に２つの第２の固定孔が形成され、各固定部材は、前記防振部材を前記フレーム本体の側壁に固定するように、前記２つの第１の固定孔のうちの１つ及び前記２つの第２の固定孔のうちの１つをそれぞれ貫通する、請求項１に記載のファン。
【請求項３】
前記防振部材は、ゴム又はプラスチックからなるものである、請求項１に記載のファン。
【請求項４】
各防振部材には第３の固定孔が形成される、請求項１に記載のファン。
【請求項５】
前記フレーム本体の側壁は少なくとも２つの円弧状凸面を有し、前記少なくとも２つの位置決めリブは前記少なくとも２つの円弧状凸面からそれぞれ突出し、各防振部材は円弧状凹面を有し、前記位置決め溝は前記円弧状凹面に形成され、前記位置決めリブは前記位置決め溝に嵌め込む際に、前記円弧状凸面と前記円弧状凹面とは貼り合わせている、請求項１に記載のファン。
【請求項６】
少なくとも２つの位置決めリブを有するフレーム本体であって、前記少なくとも２つの位置決めリブは前記フレーム本体の側壁から突出し、且つ対称分布になる、フレーム本体と、
位置決め溝をそれぞれ有する少なくとも２つの防振部材であって、前記位置決めリブは、前記防振部材を前記フレーム本体の側壁に位置決めするように、前記位置決め溝に嵌め込むことができる、少なくとも２つの防振部材と、を含む、ファンフレーム。
【請求項７】
前記ファンフレームは、少なくとも４つの固定部材をさらに含み、各防振部材に２つの第１の固定孔が形成され、各位置決めリブの両側に２つの第２の固定孔が形成され、各固定部材は、前記防振部材を前記フレーム本体の側壁に固定するように、前記２つの第１の固定孔のうちの１つ及び前記２つの第２の固定孔のうちの１つをそれぞれ貫通する、請求項６に記載のファンフレーム。
【請求項８】
前記防振部材は、ゴム又はプラスチックからなるものである、請求項６に記載のファンフレーム。
【請求項９】
各防振部材には第３の固定孔が形成される、請求項６に記載のファンフレーム。
【請求項１０】
前記フレーム本体の側壁は少なくとも２つの円弧状凸面を有し、前記少なくとも２つの位置決めリブは前記少なくとも２つの円弧状凸面からそれぞれ突出し、各防振部材は円弧状凹面を有し、前記位置決め溝は前記円弧状凹面に形成され、前記位置決めリブは前記位置決め溝に嵌め込む際に、前記円弧状凸面と前記円弧状凹面とは貼り合わせている、請求項６に記載のファンフレーム。
【考案の詳細な説明】
【技術分野】
【０００１】
本考案は、ファン及びファンフレームに関し、特に防振部材を有するファンフレーム、及び該ファンフレームを用いるファンに関する。
【背景技術】
【０００２】
放熱装置は、電子機器の発展にとって極めて重要である。電子機器が運転するときに、回路に流れる電流と抵抗によって不必要な発熱が生じるため、これらの熱を効果的に排出せず、電子機器の内部の電子部品に蓄積すると、電子部品が上昇する温度により破損する恐れがある。従って、放熱装置の優劣は電子機器の運転に大きな影響を与える。
【０００３】
従来の電子機器の放熱装置として、導熱パイプの一端を発熱する電子部品に連結し、他端を放熱フィンに連結し、ファンにより放熱フィンの熱を外部に放熱するものがある。一般的には、ファンのファンフレームは一体成形されており、ファンフレームはネジがその上の固定孔を貫通することによって放熱フィン又は機器の筐体に直接固着されている。ファンホイールが起動すると、ファンが高速回転で生じた振動は放熱フィン又は機器の筐体に伝達して、放熱フィン又は機器の筐体は共振する。よって、ファンを固着するネジが緩まって、ファンの安定性が降下し、不必要な騒音が生じる。
【考案の概要】
【考案が解決しようとする課題】
【０００４】
本考案は、上述した課題を鑑み、防振部材を有するファンフレーム及び該ファンフレームを用いるファンを提供することを目的とする。
【課題を解決するための手段】
【０００５】
本考案の一の実施例によれば、ファンフレームと、前記ファンフレームに回転可能に設けられたファンホイールと、を含むファンであって、前記ファンフレームは、少なくとも２つの位置決めリブを有するフレーム本体であって、前記少なくとも２つの位置決めリブは前記フレーム本体の側壁から突出し、且つ対称分布になる、フレーム本体と、位置決め溝をそれぞれ有する少なくとも２つの防振部材であって、前記位置決めリブは、前記防振部材を前記フレーム本体の側壁に位置決めするように、前記位置決め溝に嵌め込むことができる、少なくとも２つの防振部材と、を含む、ファンを提供する。
【０００６】
この実施例では、前記ファンフレームは、少なくとも４つの固定部材をさらに含み、各防振部材に２つの第１の固定孔が形成され、各位置決めリブの両側に２つの第２の固定孔が形成され、各固定部材は、前記防振部材を前記フレーム本体の側壁に固定するように、前記２つの第１の固定孔のうちの１つ及び前記２つの第２の固定孔のうちの１つをそれぞれ貫通する。また、各防振部材には第３の固定孔が形成される。
【０００７】
本考案の他の実施例によれば、少なくとも２つの位置決めリブを有するフレーム本体であって、前記少なくとも２つの位置決めリブは前記フレーム本体の側壁から突出し、且つ対称分布になる、フレーム本体と、位置決め溝をそれぞれ有する少なくとも２つの防振部材であって、前記位置決めリブは、前記防振部材を前記フレーム本体の側壁に位置決めするように、前記位置決め溝に嵌め込むことができる、少なくとも２つの防振部材と、を含む、ファンフレームを提供する。
【０００８】
この実施例では、前記ファンフレームは、少なくとも４つの固定部材をさらに含み、各防振部材に２つの第１の固定孔が形成され、各位置決めリブの両側に２つの第２の固定孔が形成され、各固定部材は、前記防振部材を前記フレーム本体の側壁に固定するように、前記２つの第１の固定孔のうちの１つ及び前記２つの第２の固定孔のうちの１つをそれぞれ貫通する。また、各防振部材には第３の固定孔が形成される。
【考案の効果】
【０００９】
上述したように、本考案に係るファンフレームは、フレーム本体の側壁に対称分布となる少なくとも２つの防振部材を設けており、防振部材の第３の固定孔はファンフレームのフレーム本体を放熱フィン又は機器の筐体に固着する。これによって、ファンホイールが回転する際に、ファンが高速回転で生じた振動は防振部材により吸収され、放熱フィン又は機器の筐体に伝達することがなく、ファンの安定性を向上し、不必要な騒音を生じることがなくなる。
【００１０】
以下の詳細な説明と図面を参照すると、本考案の効果と主旨がより明らかになるであろう。
【図面の簡単な説明】
【００１１】
【図１】本考案の第１実施例に係るファンの斜視図。
【図２】図１におけるファンの分解斜視図。
【考案を実施するための形態】
【００１２】
図１は、本考案の第１実施例に係るファン１の斜視図であり、図２は、図１におけるファン１の分解斜視図である。図１及び図２に示すように、ファン１は、ファンフレーム１０、及びファンホイール１２を含む。ファンホイール１２は、ファンフレーム１０に回転可能に設けられ、且つ複数のファンリーフ１２０を含む。
【００１３】
本実施例では、ファンフレーム１０は、フレーム本体１００、４つの防振部材１０２ａ〜１０２ｄ、及び８つの固定部材１４０ａ〜１０４ｄを含む。フレーム本体１００は４つの位置決めリブ１０００ａ〜１０００ｄを有し、４つの位置決めリブ１０００ａ〜１０００ｄはフレーム本体１００の側壁から突出し、且つ対称分布になり、２つの位置決めリブ１０００ａ、１０００ｂは互いに対向し、２つの位置決めリブ１０００ｃ、１０００ｄは互いに対向している。本実施例では、フレーム本体１００の側壁は４つの円弧状凸面１００２ａ〜１００２ｄ及び４つの縦面１００４ａ〜１００４ｄを有し、４つの位置決めリブ１０００ａ〜１０００ｄそれぞれは４つの円弧状凸面１００２ａ〜１００２ｄから突出している。図２に示すように、４つの円弧状凸面１００２ａ〜１００２ｄと４つの縦面１００４ａ〜１００４ｄとは互いに隣接して、フレーム本体１００は大体略円形となっている。
【００１４】
各防振部材１０２ａ〜１０２ｄは位置決め溝１０２０ａ〜１０２０ｄを有する。本実施例では、各防振部材１０２ａ〜１０２ｄは円弧状凹面１０２２ａ〜１０２２ｄを有し、４つの位置決め溝１０２０ａ〜１０２０ｄは４つの円弧状凹面１０２２ａ〜１０２２ｄにそれぞれ形成されている。また、各防振部材１０２ａ〜１０２ｄには２つの第１の固定孔が形成され、各位置決めリブ１０００ａ〜１０００ｄの両側には２つの第２の固定孔が形成されている。なお、視角の関係で、図２において、防振部材１０２ａにおける２つの第１の固定孔１０２４ａ及び防振部材１０２ｂにおける２つの第１の固定孔１０２４ｂ、位置決めリブ１０００ａの両側の２つの第２の固定孔１００６ａ及び位置決めリブ１０００ｂの両側の２つの第２の固定孔１００６ｂのみが示されている。また、各防振部材１０２ａ〜１０２ｄには第３の固定孔１０２６ａ〜１０２６ｄが形成されている。
【００１５】
フレーム本体１００と防振部材１０２ａとを組み立てる際に、まず防振部材１０２ａをフレーム本体１００の側壁に固定するように、フレーム本体１００の位置決めリブ１０００ａを防振部材１０２ａの位置決め溝１０２０ａに嵌め込む。位置決めリブ１０００ａが位置決め溝１０２０ａに嵌め込んだ時に、フレーム本体１００の円弧状凸面１００２ａと防振部材１０２ａの円弧状凹面１０２２ａとは貼り合わせている。そして、固定部材１０４ａは、防振部材１０２ａをフレーム本体１００の側壁に固定するように、防振部材１０２ａの第１の固定孔１０２４ａ及びフレーム本体１００の第２の固定孔１００６ａをそれぞれ貫通させる。実際の応用では、固定部材１０４ａはネジであってもよく、第２の固定孔１００６ａにネジを固着することが可能なナットを埋設してもよい。なお、フレーム本体１００と他の３つの防振部材１０２ｂ〜１０２ｄとの組み合わせ方法と、上述したフレーム本体１００と防振部材１０２ａとの組み合わせ方法とは同様であるため、ここにその説明を省略とされる。位置決めリブ１０００ａ〜１０００ｄと位置決め溝１０２０ａ〜１０２０ｄとを合わせることで、フレーム本体１００と防振部材１０２ａ〜１０２ｄとの組み合わせを効果的にさせることができる。
【００１６】
図１に示すように、ファンフレーム１０の組み合わせ後、フレーム本体１００の４つの円弧状凸面１００２ａ〜１００２ｄは、４つの防振部材１０２ａ〜１０２ｄの４つの円弧状凹面１０２２ａ〜１０２２ｄと貼り合わせて、ファンフレーム１０は矩形となっている。そして、ネジ又は他の固定部材（図示せず）を４つの防振部材１０２ａ〜１０２ｄの４つの第３の固定孔１０２６ａ〜１０２６ｄを貫通させて、ファンフレーム１０を放熱フィン又は機器の筐体（図示せず）に固着することができる。
【００１７】
本実施例では、４つの防振部材１０２ａ〜１０２ｄは、ゴム、プラスチック、又は他の振動吸収効果を有する材料からなるものである。よって、ファンホイール１２が回転する際に、ファン１が高速回転で生じた振動は４つの防振部材１０２ａ〜１０２ｄにより吸収され、放熱フィン又は機器の筐体（図示せず）に伝達することがなく、ファン１の安定性を向上し、不必要な騒音を生じることがなくなる。
【００１８】
なお、本考案は、フレーム本体１００の対向する両側（２つの側壁）のみにおいて、対称分布の２つの防振部材１０２ａ、１０２ｂを設けてもよく、フレーム本体１００の対向する他の両側（他の２つの側壁）のみにおいて、対称分布の２つの防振部材１０２ｃ、１０２ｄを設けてもよい。同様に、高速回転時のファン１の安定性を向上でき、不必要な騒音を生じることがなくなる。言い換えれば、本考案は、フレーム本体１００の側壁に４つの防振部材１０２ａ〜１０２ｄを共に設けることに限定されない。
【００１９】
以上のことから、本考案に係るファンフレームは、フレーム本体の側壁に対称分布となる少なくとも２つの防振部材を設けており、防振部材の第３の固定孔はファンフレームのフレーム本体を放熱フィン又は機器の筐体に固着する。従って、ファンホイールが回転する際に、ファンが高速回転で生じた振動は防振部材により吸収され、放熱フィン又は機器の筐体に伝達することがなく、ファンの安定性を向上し、不必要な騒音を生じることがなくなる。
【００２０】
以上、本考案の好適な実施例を説明したが、本考案の請求の範囲に基づいて行った均等な変更や記載は、本考案の技術的範囲に属するべきである。
【符号の説明】
【００２１】
１      ファン
１０    ファンフレーム
１２    ファンホイール
１００  フレーム本体
１０２ａ〜１０２ｄ  防振部材
１０４ａ〜１０４ｄ  固定部材
１２０  ファンリーフ
１０００ａ〜１０００ｄ  位置決めリブ
１００２ａ〜１００２ｄ  円弧状凸面
１００４ａ〜１００４ｄ  縦面
１００６ａ〜１００６ｄ  第２の固定孔
１０２０ａ〜１０２０ｄ  位置決め溝
１０２２ａ〜１０２２ｄ  円弧状凹面
１０２４ａ〜１０２４ｄ  第１の固定孔
１０２６ａ〜１０２６ｄ  第３の固定孔
【図１】
0003186599.tif 000003
【図２】
0003186599.tif 000004